(57)【要約】【課題】ケース内の展示物を容易に変えることができる情景展示物を提供すること。【解決手段】情景展示物１は、内部を前方から鑑賞可能なケース１０と、ケース１０の内部に配置された展示物２０と、を備え、ケース１０は、外形を形成し、前方及び後方が開放された枠体１１と、枠体１１の前方側側縁近傍に取り付けられ、透明の素材で形成された前面部１２と、枠体１１の後方側側縁近傍に着脱自在に取り付けられた板状体で形成された後面部１３と、を有し、後面部１３は、前面に印刷物１４を着脱自在に固定し、展示物２０は、枠体１１の内部に交換可能に載置された土台２１と、土台２１に固定された情景再現物２２と、を有する。【選択図】図２
0003183640.tif 000002
【実用新案登録請求の範囲】
【請求項１】
内部を前方から鑑賞可能なケースと、前記ケースの内部に配置された展示物と、を備える情景展示物であって、
前記ケースは、
外形を形成し、前方及び後方が開放された枠体と、
前記枠体の前方側側縁近傍に取り付けられ、透明の素材で形成された前面部と、
前記枠体の後方側側縁近傍に着脱自在に取り付けられた板状体で形成された後面部と、を有し、
前記後面部は、前面に印刷物を着脱自在に固定し、
前記展示物は、前記枠体の内部に交換可能に載置された土台と、前記土台に固定された情景再現物と、を有する情景展示物。
【請求項２】
前記ケースの前記後面部は、
前面の側縁が前記枠体の後方側端面と重なる重なり部を有し、
前記重なり部に、前記印刷物を着脱自在に固定する固定部材を備える請求項１に記載の情景展示物。
【考案の詳細な説明】
【技術分野】
【０００１】
本考案は、情景展示物に関し、特に、内部を前方から鑑賞可能なケースと、ケースの内部に配置された展示物と、を備える情景展示物に関する。
【背景技術】
【０００２】
近年、社会におけるストレスが多大になっており、このようなストレスを解消するために、所謂、癒やされる物の需要が高まっている。このような癒やされる物として、自然の風景を模型等により立体的に再現した情景展示物（所謂、ジオラマ）が知られている。
【０００３】
このような情景展示物として、ケース内に装飾体が収容され、ケースは、その一部である前面パネルが、ケース内の観賞を可能にする透明素材で構成されており、装飾体は、ケース内に設置された土台に装飾素材を装飾してなるものであり、土台は、多孔質成形体からなる基材の底面が被覆層によって被覆され、接着剤によりケース内に固定される装飾置物が提案されている（特許文献１参照）。
【０００４】
この特許文献１の装飾置物によれば、装飾素材により装飾された土台を被覆層によって被覆して接着剤によりケース内に固定することで、高強度で壊れにくくなり、長期間鑑賞することができる。
【先行技術文献】
【特許文献】
【０００５】
【特許文献１】特開２０１２−７１５９３号公報
【考案の概要】
【考案が解決しようとする課題】
【０００６】
ところで、現実の自然は、同じ場所であっても、四季折々で景色が移り変わる。一方、情景展示物のケース内における、自然を再現した模型等の展示物は、経年劣化したとしても、その態様は変わらない。また、鑑賞者が、態様が変わらない展示物に飽きてしまう場合もある。
しかしながら、特許文献１の装飾置物は、上記のような場合であっても、展示物である装飾素材により装飾された土台をケース内に固定しているので、展示物を変えることができない。
【０００７】
本考案は、ケース内の展示物を容易に変えることができる情景展示物を提供することを目的とする。
【課題を解決するための手段】
【０００８】
（１）  内部を前方から鑑賞可能なケースと、前記ケースの内部に配置された展示物と、を備える情景展示物であって、
前記ケースは、
外形を形成し、前方及び後方が開放された枠体と、
前記枠体の前方側側縁近傍に取り付けられ、透明の素材で形成された前面部と、
前記枠体の後方側側縁近傍に着脱自在に取り付けられた板状体で形成された後面部と、を有し、
前記後面部は、前面に印刷物を着脱自在に固定し、
前記展示物は、前記枠体の内部に交換可能に載置された土台と、前記土台に固定された情景再現物と、を有する情景展示物。
【０００９】
（１）の構成によれば、情景展示物は、内部を前方から鑑賞可能なケースと、ケースの内部に配置された展示物と、を備える。
ケースは、枠体と、前面部と、後面部と、を備える。
枠体は、外形を形成し、前方及び後方が開放されている。
前面部は、枠体の前方側側縁近傍に取り付けられ、透明の素材で形成されている。
後面部は、枠体の後方側側縁近傍に着脱自在に取り付けられた板状体で形成されている。
そして、後面部は、前面に印刷物を着脱自在に固定する。
展示物は、枠体の内部に交換可能に載置された土台と、土台に固定された情景再現物と、を有する。
【００１０】
これにより、例えば、情景展示物の所有者は、ケースの枠体の内部に載置された展示物と、後面部に固定された印刷物と、を一体的な情景として、前面部を通して、鑑賞できる。
そして、所有者は、展示物や印刷物を変えたい場合、後面部を枠体から取り外し、土台及び土台に固定された情景再現物から成る展示物を交換したり、後面部に固定された印刷物を交換したりすることで、ケースの内部に再現された情景を変えることができる。
したがって、ケース内の展示物を容易に変えることができる情景展示物を提供できる。
【００１１】
（２）前記ケースの前記後面部は、
前面の側縁が枠体の後方側端面と重なる重なり部を有し、
前記重なり部に、印刷物を着脱自在に固定する固定部材を備える（１）に記載の情景展示物。
【００１２】
（２）の構成によれば、ケースの後面部は、前面の側縁が枠体の後方側端面と重なる重なり部を有し、この重なり部に、印刷物を着脱自在に固定する固定部材を備える。
これにより、印刷物を着脱自在に固定する固定部材が、ケースの前方から視認できないので、ケースの内部における展示物と印刷物との一体的な情景を損なうことがない。
【考案の効果】
【００１３】
本考案によれば、ケース内の展示物を容易に変えることができる情景展示物を提供できる。
【図面の簡単な説明】
【００１４】
【図１】本考案の一実施形態に係る情景展示物を左斜め前方から視た図である。
【図２】図１に示す前記実施形態に係る情景展示物を前後方向に切断した断面図である。
【図３】図１に示す前記実施形態に係る情景展示物における展示物及び印刷物を交換した後の状態を示す図である。
【考案を実施するための形態】
【００１５】
本考案の実施形態に係る情景展示物１の構成を図面に基づいて説明する。
図１は、本考案の一実施形態に係る情景展示物１を左斜め前方から視た図である。
情景展示物１は、内部を前方から鑑賞可能なケース１０と、ケース１０の内部に配置された展示物２０と、を備える。
ここで、本実施形態における「展示物」とは、例えば、自然の景観を再現した模型等である。自然の景観とは、例えば、情景展示物の所有者の故郷における森である。
【００１６】
ケース１０は、内部に空間が形成された箱状体で形成され、外形を形成し、前方及び後方が開放された枠体１１と、枠体１１の前方を塞ぐ前面部１２と、枠体１１の後方を塞ぐ後面部１３と、を備える。本実施形態において、ケース１０は、前面から視て略矩形に形成されているが、これに限らず、前面から視て円形、三角形、六角形等の任意の形状とすることができる。
【００１７】
枠体１１は、ケース１０の底面を形成する底面板１１１と、底面板１１１の左右端部より上方にそれぞれ立設する１対の側面板１１２と、１対の側面板１１２の上端を連結する天面板１１３と、を備える。
【００１８】
図２は、図１に示す前記実施形態に係る情景展示物１を前後方向に切断した断面図である。
底面板１１１は、上面に展示物２０が交換可能に載置されている。
【００１９】
側面板１１２は、内面において、ケース１０の内部空間と略同じ幅と高さで形成された鏡面板１１２ａが貼付されている。この鏡面板１１２ａは、鏡面加工されたアクリル板、金属板又は鏡等で構成されている。側面板１１２の内面に鏡面板１１２ａを貼付することで、ケース１０の内部空間を広く見せることができる。
【００２０】
天面板１１３は、下面において、ケース１０の内部空間に光を照射する発光手段１１３ａが設けられている。発光手段１１３ａは、例えば、ＬＥＤ（Light Emitting Diode）電球で構成されている。発光手段１１３ａに電気を供給する電線は、天面板１１３の内部に配線され、ケース１０の外部に設けられた電源供給部（例えば、電池、コンセント）に接続されている。
【００２１】
また、枠体１１には、前方側側縁近傍に前面部１２の側縁が差し込まれる溝１１ａが形成され、後方側端面に後面部１３の側縁が嵌め込まれる欠き込み１１ｂが形成され、欠き込み１１ｂ近傍に回動自在に取り付けられ、欠き込み１１ｂに嵌め込まれた後面部１３を押さえる後面部固定部材１１ｃが設けられている。
【００２２】
前面部１２は、略長方形の板状体で形成され、側縁が枠体１１の溝１１ａに差し込まれることで、枠体１１に固定されている。前面部１２は、透明の素材（例えば、透明のアクリル板やガラス）で形成されている。前面部１２は、反射防止加工や反射防止フィルムを貼付することで、光が反射しケース内部が見づらくなるのを防止できる。
【００２３】
後面部１３は、略長方形の板状体で形成され、側縁が枠体１１の欠き込み１１ｂに嵌め込まれ、後面部固定部材１１ｃにより押さえられることで、枠体１１に固定されている。
後面部１３は、前面側側縁において、枠体１１の欠き込み１１ｂに当接し、枠体１１の後方側端面と重なる重なり部１３１を有する。
後面部１３は、重なり部１３１において、印刷物１４を着脱自在に固定する固定部材１３２が設けられている。本実施形態において、固定部材１３２は、Ｕ字形状に形成された弾性体で形成され、印刷物１４を挟持して、印刷物１４を後面部１３の前面に着脱自在に固定するが、これに限らず、固定部材１３２は、印刷物１４を後面部１３に固定できれば、着脱自在の接着剤等、任意の構成とすることができる。
【００２４】
印刷物１４は、ケース１０の内部空間と略同じ幅と高さで形成されている。本実施形態において、印刷物１４は、写真で構成しているが、これに限らず、例えば、絵画であってもよい。また、印刷物１４は、例えば、所有者の故郷の写真や、所有者が癒やされる写真や絵画であることが望ましい。
【００２５】
展示物２０は、枠体１１の底面板１１１の上面に交換可能に載置された土台２１と、土台２１に固定された情景再現物２２と、を備える。
土台２１は、略直方体の多孔質体（例えば、発泡ウレタン）で形成されている。
【００２６】
情景再現物２２は、土台２１の上面及び前面に配置、接着又は差し込まれる。
情景再現物２２は、植物、岩、動物等の模型や、水苔、現実の山林から採取した枯れ木や、プリザード加工された花や枝や、土台２１や水苔に水を含ませることで生花や観葉植物を用いることができる。
【００２７】
情景再現物２２は、特定の地域（例えば、所有者の故郷）の山林から採取した草木や花をプリザード加工して用いるのが望ましい。また、この場合、情景再現物２２には、当該特定の地域に生息する動物の模型を含めることが望ましい。そして、印刷物１４を当該特定の地域の山林の写真とすることで、当該特定の地域の情景を展示物２０と印刷物１４とで一体的に再現することができる。
なお、このように特定の地域毎に採取した草木や花をプリザード加工した物と、当該特定の地域の写真と、を情景展示物１の情景再現物２２及び印刷物１４として、特定の地域毎のセットとして提供してもよい。この場合、所有者は、例えば、自分の故郷から採取された物から成る情景再現物２２と、自分の故郷の写真である印刷物１４と、のセットを入手し、ケース１０の内部において、自ら好みで配置し、故郷の情景を再現することができる。
【００２８】
なお、情景展示物１は、更に、音楽や自然音を再生可能な発音装置や自然の香りを発生する芳香装置を備えてもよい。
【００２９】
次に、図１乃至図３を参照して、本考案の実施形態に係る情景展示物１における展示物２０及び印刷物１４を、展示物２０Ａ及び印刷物１４Ａに交換する手順について説明する。
図３は、図１に示す前記実施形態に係る情景展示物１における展示物２０及び印刷物１４を交換した後の状態を示す図である。
図１に示すように、情景展示物１における、交換する前の展示物２０は水苔、岩、枯れ木、うさぎの模型であり、交換する前の印刷物１４は森林の写真である。
【００３０】
図２に示すように、所有者は、枠体１１の後面部固定部材１１ｃを後面部１３と反対方向（図２中実線で示す位置）に回動させることで、後面部１３を枠体１１から外す（図２中実線で示す位置）。
【００３１】
次に、所有者は、図１に示す展示物２０及び印刷物１４を、例えば、図３に示す展示物２０Ａ及び印刷物１４Ａに交換する。
図３に示すように、情景展示物１における、交換した後の展示物２０Ａは水苔、花びら、岩、花が咲く枝木であり、交換した後の印刷物１４Ａは空と山の写真である。
【００３２】
そして、図２に示すように、所有者は、枠体１１の欠き込み１１ｂに後面部１３を嵌め込み、後面部固定部材１１ｃを後面部１３方向（図２中点線で示す位置）に回動させることで、後面部１３を枠体１１に固定する（図２中点線で示す位置）。
【００３３】
このように、本実施形態によれば、情景展示物１の所有者は、ケース１０の枠体１１の内部に載置された展示物２０と、後面部１３に固定された印刷物１４と、を一体的な情景として、前面部１２を通して、鑑賞できる。
そして、所有者は、展示物２０や印刷物１４を変えたい場合、後面部１３を枠体１１から取り外し、土台２１及び土台２１に固定された情景再現物２２から成る展示物２０を交換したり、後面部１３に固定された印刷物１４を交換したりすることで、ケース１０の内部に再現された情景を変えることができる。
したがって、ケース１０内の展示物２０を容易に変えることができる。
【００３４】
また、ケース１０の後面部１３は、前面の側縁が枠体の後方側端面と重なる重なり部１３１を有し、この重なり部１３１に、印刷物１４を着脱自在に固定する固定部材１３２を備える。
これにより、印刷物１４を着脱自在に固定する固定部材１３２が、ケース１０の前方から視認できないので、ケース１０の内部における展示物２０と印刷物１４との一体的な情景を損なうことがない。
【００３５】
なお、本考案は前記実施形態に限定されるものではなく、本考案の目的を達成できる範囲での変形、改良等は本考案に含まれるものである。
【符号の説明】
【００３６】
１    情景展示物
１０  ケース
１１  枠体
１２  前面部
１３  後面部
１４  印刷物
２０  展示物
２１  土台
２２  情景再現物
【図１】
0003183640.tif 000003
【図２】
0003183640.tif 000004
【図３】
0003183640.tif 000005